(57)【特許請求の範囲】
【請求項１】
遊技盤に取付けられた装飾ブラケットと、
上面開口の受入口と、この受入口を区画するボックス部と、このボックス部の前面上側を遊技盤と平行な方向で左右に突出した突片とを有し、前記装飾ブラケットの前面において上下に移動可能に設けられた受入部材と、
この受入部材の両側に設けられた一対の変位部材とを備えており、
各変位部材は、遊技者側の正面から見て直角三角形であるとともに、その斜辺を縁線とする面には、落下する遊技球を前記受入口に誘導するための面がそれぞれ形成されており、
前記受入部材の左側に設けられた変位部材の一方の鋭角部分は、前記突片のうち左方に突出した部分に軸止されており、かつ、他方の鋭角部分は、前記装飾ブラケットに偏心可能に軸止されており、
前記受入部材の右側に設けられた変位部材の一方の鋭角部分は、前記突片のうち右方に突出した部分に軸止されており、かつ、他方の鋭角部分は、前記装飾ブラケットに偏心可能に軸止されており、
各変位部材の各面は、前記受入部材が移動範囲の下端に移動したことに伴って前記受入口に対してそれぞれ下り勾配に変位し、前記受入部材が移動範囲の上端に移動したことに伴って前記受入口の外域に向けて下り勾配に変位し、
前記受入口は、遊技盤に左右に配置された２本の釘により形成された入賞口の直下に設けられており、
前記受入口は、前記受入部材が移動範囲の上端に移動したときに前記入賞口に最も近づき、前記受入部材が移動範囲の下端に移動したときに前記入賞口から最も遠ざかることを特徴とする入賞装置。
【請求項２】
前記２本の釘に代えて前記受入口を閉塞可能な部材が設けられており、
前記受入口は、前記受入部材が移動範囲の上端に移動したときに前記部材によって閉塞され、前記受入部材が移動範囲の下端に移動したときに前記部材から離れることによって開口することを特徴とする請求項１に記載の入賞装置。
【発明の詳細な説明】
【０００１】
【産業上の利用分野】
本発明は、遊技領域に遊技球を打ち出して入賞口への遊技球の入賞により賞を獲得する入賞装置に関する。
【０００２】
【従来の技術】
パチンコ機などの遊技機では、遊技盤上を乱舞する遊技球の入賞口への入賞度合に変化を与えるため、左右一対の可動翼片（変位部材）からなるいわゆるチューリップ式の入賞装置が知られている。
図１２に従来の入賞装置の一例を示す。図１２に示す入賞装置は、回動中心の軸孔１ｂが図示しない遊技盤などに支持された一対の可動翼片１、１と、該可動翼片１、１を軸孔１ｂを中心に回動（以下、開閉という）駆動するための例えば直動ソレノイド３（駆動手段）と、該直動ソレノイド３の可動部材３ａの動きを該可動翼片１、１に開閉運動として伝達する連結機構４とから構成されている。
【０００３】
上記連結機構４は、直動ソレノイド３の可動部材３ａを一端で保持（リンク）したパワーアーム５と、該パワーアーム５の他端を保持した基端６ａを有し該基端６ａから可動翼片１、１に対して二股に分かれて先端部６ｂ、６ｂを延ばしたクランク部材６と、該クランク部材６の先端部６ｂ、６ｂに遊び状態に（遊技盤側から見て左右方向に移動自在に）係合されかつ可動翼片１、１の回動中心を若干外れた位置で該可動翼片１、１を保持した各作動用ピン２、２とから構成されている。パワーアーム５は、中間に支軸５ａをもつ揺動する部材である。クランク部材６は、基端部６ａと先端部６ｂ、６ｂとの間に支軸６ｃをもつ揺動する部材である。
【０００４】
上記入賞装置は次のように作動する。ソレノイド３の作動によってパワーアーム５が支軸５ａを中心に揺動することによってクランク部材６の基端部６ａが上下に駆動される。クランク部材６の先端部６ｂは支軸６ｃを介して基端部６ａと相似の上下動を行う。作動用ピン２は先端部６ｂに対して左右方向に遊びをもち、かつ、作動用ピン２は可動翼片１の回動中心より外れた位置で該可動翼片１と係合しているので、先端部６ｂの上下動に対応して左右方向にも移動する結果、可動翼片１の開閉中心周りに円弧運動する。したがって、クランク部材６の先端部６ｂの運動は、一対の可動翼片１、１の開閉運動を創成することとなる。一対の可動翼片１、１が開いた状態（軸孔１ｂと反対側の自由端１ｃ間の距離が遠くなる状態）では遊技盤などに配設される実質的な入賞口としての受入口（可動翼片１、１の下位置に設けられる開口をもつ部材の当該開口）に遊技球を入賞し易くする状態となり、閉じた状態（自由端１ｃ間の距離が受入口の開度程度に近くなる状態）では受入口に遊技球を入賞し難くする状態となる。
【０００５】
【発明が解決しようとする課題】
従来の一対の可動翼片１、１を用いた入賞装置は、一対の可動翼片１、１が開いた状態で遊技球を受入口へ受け入れ易くするように受入口に向けて下り勾配をなす相対向する面１ａをもつが、この面１ａは、閉じた状態ではほぼ受入口と同じ開度となるように垂直の勾配をなすだけなので、視覚的な変位に乏しく、開いた状態で入賞が多くなる期待を遊技者に抱かせる効果が少ないものであった。
【０００６】
また、上記従来の入賞装置は、直動ソレノイド３における可動部材３ａの運動を可動翼片１に伝達する連結機構４の構成が複雑で組み立てに時間を要しコストが嵩むという問題がある。
すなわち、第１に一対の可動翼片１、１を左右対称に開閉させるため、直動ソレノイド３の可動部材３ａの運動を一対の可動翼片１、１に伝達するクランク部材６が、先端部６ｂを二股に延ばした複雑形状の部材である。第２に、このクランプ部材６の先端部６ｂだけの運動では、一対の可動翼片１、１を開閉させることができないため、間に先端部６ｂの上下動に対応して左右方向にも移動する作動用ピン２を配設して、先端部６ｂの運動を可動翼片１の開閉中心周りの円弧運動に変換している。このように従来の入賞装置は、構成が複雑で動作も複雑になっている。
そこで本発明は、入賞し易い状態と入賞し難い状態との視覚的変位が大きく入賞に大きな期待を抱かせる入賞装置を実現することを目的とする。
本発明の他の目的は、駆動手段と一対の変位部材との連結機構が簡素化でき、安定に動作する入賞装置を実現する。
【０００７】
【課題を解決するための手段・作用および効果】
上記課題を解決した本発明の請求項１に記載の発明は、遊技盤に取付けられた装飾ブラケットと、上面開口の受入口と、この受入口を区画するボックス部と、このボックス部の前面上側を遊技盤と平行な方向で左右に突出した突片とを有し、前記装飾ブラケットの前面において上下に移動可能に設けられた受入部材と、この受入部材の両側に設けられた一対の変位部材とを備えており、各変位部材は、遊技者側の正面から見て直角三角形であるとともに、その斜辺を縁線とする面には、落下する遊技球を前記受入口に誘導するための面がそれぞれ形成されており、前記受入部材の左側に設けられた変位部材の一方の鋭角部分は、前記突片のうち左方に突出した部分に軸止されており、かつ、他方の鋭角部分は、前記装飾ブラケットに偏心可能に軸止されており、前記受入部材の右側に設けられた変位部材の一方の鋭角部分は、前記突片のうち右方に突出した部分に軸止されており、かつ、他方の鋭角部分は、前記装飾ブラケットに偏心可能に軸止されており、各変位部材の各面は、前記受入部材が移動範囲の下端に移動したことに伴って前記受入口に対してそれぞれ下り勾配に変位し、前記受入部材が移動範囲の上端に移動したことに伴って前記受入口の外域に向けて下り勾配に変位し、前記受入口は、遊技盤に左右に配置された２本の釘により形成された入賞口の直下に設けられており、前記受入口は、前記受入部材が移動範囲の上端に移動したときに前記入賞口に最も近づき、前記受入部材が移動範囲の下端に移動したときに前記入賞口から最も遠ざかることを特徴とする。
上記請求項１に記載の発明を採用した入賞装置では、一対の変位部材における各面は、遊技球を受入口へ入賞し（受け入れ）易くするとき受入口に向けて下り勾配をなし遊技球を受入口に誘導する機能を果たす。この面は、受入口に遊技球を入賞し難くする状態のときに受入口から外域に向けて下り勾配となるので、遊技球を受入口へ受け入れ易くするときとの視覚的な変位が大きく、入賞に大きな期待を抱かせる効果が期待できる。
つまり、受入口に遊技球を入賞し易くする状態のときの受入口に対する前記面の勾配と、受入口に遊技球を入賞し難くする状態のときの受入口に対する該面の勾配とは、逆勾配になる変化であり、遊技者に遊技球が入賞し易い状態と遊技球が入賞し難い状態との差を視覚的に強く与え、遊技に集中させる効果を期待できる。
また、受入口を形成する受入部材が移動すると、変位部材が連動して動作し、その面が受入口に遊技球を入賞し易くする状態のときに、例えば該受入口に向けて下り勾配をなし、該受入口に遊技球を入賞し難くする状態のとき該受入口から外域に向けて下り勾配をなすように変位する。
したがって、受入部材も変位し、一度に二つの部材が変位することで、遊技球を受入口へ入賞し難くするときと入賞し易くするときとの視覚的な変位が一層大きくなる。
さらに、受入部材を移動するだけで変位部材の上記変位ができるので、受入部材をソレノイドなどの駆動手段によって移動駆動すればよい。受入部材の移動運動は、例えばソレノイドなどの駆動手段における可動部材の運動と１対１の対応が可能であり、駆動手段と受入部材との連結機構を簡潔に構成することができる（実施形態参照）。
さらに、請求項１に記載の発明を採用した入賞装置では、二つの形態がある。第１の形態は、受入部材が上位置に移動したとき変位部材が入賞し難くなる形態であり、第２の形態は、受入部材が下位置に移動したとき変位部材が入賞し易くなる形態である。第２の形態では、釘などによる遊技球の誘導によって下位置ほどこの入賞装置に遊技球が集まるので、下位置で入賞し易い状態となった変位部材での入賞確率を高くでき、遊技機人気を高める効果がある。第１の形態では、上位置で入賞し難い状態となった変位部材に突発的に飛び込む遊技球を期待でき、遊技の面白さを倍加する効果がある。
【０００８】
請求項２に記載の発明は、前記２本の釘に代えて前記受入口を閉塞可能な部材が設けられており、前記受入口は、前記受入部材が移動範囲の上端に移動したときに前記部材によって閉塞され、前記受入部材が移動範囲の下端に移動したときに前記部材から離れることによって開口することを特徴とする。
【００１１】
【発明の実施の形態】
［第１実施形態］
図１は本発明の請求項１を実現した第１実施形態の入賞装置を採用した遊技機の遊技盤上の構成を示す説明図である。なお、以下に記載する各実施形態では、本発明の入賞装置を使用した遊技機として第１種始動口をもつパチンコ機を例に挙げて説明する。また、本発明を適用できる普通入賞装置は、第１種始動口の下位置に配設されるので、第１種始動口を入賞口として説明する。
遊技盤１５は、その前面側に、ガイドレール（外レール２１及び内レール２２）で区画される円形の遊技領域内に風車２３、２３やゲート２４、２４など各種遊技部材が設けられると共に、前記ガイドレール２１、２２の外側にはコーナー飾り２５、２５が設けられている。
前記遊技盤１５の遊技領域には、その中央に天入賞口２６、普通図柄表示器２７、特別図柄表示器２８および振分装置２９が一体的に形成されたセンターケース３０が設けられている。センターケース３０の下方には、釘による入賞口３７ａ（いわゆる第１種始動口）をもつ普通入賞装置３１（普通電動役物）と、大入賞口３２をもつ大入賞装置３３が設けられている。また、前記センターケース３０の左斜め下方向と右斜め下方向には、左袖入賞装置３４および右袖入賞装置３５が設けられている。
【００１２】
一方、前記遊技盤１５の裏面側には、各種入賞口から送られる遊技球（入賞球）やアウト口３６から流下する遊技球（アウト球）を回収して裏機構盤の球経路へ排出する集合経路（図示省略）が形成されている。
本発明の入賞装置は、上記普通入賞装置３１、大入賞装置３３または左袖入賞装置３４および右袖入賞装置３５などに適用できるが、以下の説明では普通入賞装置３１を例にして説明する。
【００１３】
上記普通入賞装置３１は、図２〜図５および図６に示すように構成されている。図２〜図５は開状態の普通入賞装置３１を示し、図２は遊技盤の斜め右側から見た普通入賞装置３１を示す斜視図、図３は普通入賞装置３１が遊技盤に装着された状態の図２のＡ−Ａ線で破断した断面図、図４は駆動手段を含めた普通入賞装置３１を示す斜視図、図５は上方からみた入賞装置の上面図である。図６は組み立て分解斜視図である。
普通入賞装置３１は、例えば図２に示すように、縦方向に延びたガイド孔３９が形成され、該ガイド孔３９を図３に示すように遊技盤１５の穿孔１５ａに一致させてビス（図示略）などにより該遊技盤１５に取り付けられた装飾ブラケット３８と、該装飾ブラケット３８の前記ガイド孔３９に拘束され該ガイド孔３９に沿って移動可能でかつ実質的な入賞口を構成する上面開口の受入口３７をもつ受入部材４０と、該受入部材４０に係合され該受入部材４０の前記受入口３７を挟む両側で各上方に向く面４１、４１を有した一対の変位部材４２、４２と、受入部材４０から遊技盤１５側へ延びた作動用桿４０１（図３参照）に一端を係合したパワーアーム４３（図４）と、該パワーアーム４３の他端を可動部材４４ａで保持した直動ソレノイド４４（図４）とを主要素として構成されている。
【００１４】
また、本実施形態において装飾ブラケット３８には、例えば図６に示すように、その背面に接着（ねじ止めでもよい）などの固着手段によって裏部材４５が一体化されている。裏部材４５は、受入口３７に入賞した遊技球Ｐの遊技盤裏側の通路を形成するものであり、図３に示すように、遊技盤１５の穿孔１５ａと連通して裏機構盤の前記集合経路へ排出する球経路４５１が形成されている。
上記装飾ブラケット３８は、ガイド孔３９の周囲に所定の装飾（好ましくは後述する受入部材４０および変位部材４２の動きに合った図柄）が施された樹脂あるいは金属製の板状部品である。装飾ブラケット３８には、図６に示すように、遊技盤１５への取付け用ビス孔３８２と、図５、図６に示すように、変位部材４２を保持するためのピン４７を立設する小穴３８３がそれぞれ形成されている。また、装飾ブラケット３８には遊技盤１５面に沿った下延片３８１が設けられている。
【００１５】
上記受入部材４０は、図６に示すように、受入口３７を区画するボックス部４０２と、該ボックス部４０２の前面上側を遊技盤１５と平行な方向で左右に突出した突片４０３と、該ボックス部４０２の底から装飾ブラケット３８の下延片３８１に沿って延びた舌状の隠し板部４０４とを備え、前記作動用桿４０１は、例えば図３に示すように、ボックス部４０２の底から遊技盤１５側に延び遊技盤１５における穿孔１５ａの下端面上を通り、さらに前記裏部材４５を貫通している。裏部材４５にはこのためのスリット４５２（図３）が形成されている。スリット４５２の長さは、受入部材４０の移動量と対応している。スリット４５２から貫通した前記作動用桿４０１の先端部分は、図４に示すように、前記パワーアーム４３の一端を挟持した係合端４０１ａとなっている。なお、裏部材４５の球経路４５１中の前記作動用桿４０１は、リング状に拡大されており、この拡大部分に遊技球Ｐが通過可能な通孔４０１ｂが形成されている。
【００１６】
ところで、図７（Ａ）には、開状態の普通入賞装置３１を遊技者側から見た正面図が示されている。図７（Ａ）から分かるように、遊技者側から見た変位部材４２は、上向きの前記面４１、４１のほぼ縁線を斜辺とする直角三角形の部材であり、その一方の鋭角部分４２ａ（以下、被係止端という）は、図５に示すように、突片４０３と装飾ブラケット３８との間に係止され、他方の鋭角部分４２ｂ（以下、自由端という）は、前記小穴３８３に立設された前記ピン４７に保持されている。
具体的に、前記突片４０３の内側には、図６に示すように、ボス４０３ａが遊技盤１５側に向けて突出しており、対面する被係止端４２ａには、同方向に孔４２１が形成されている。この孔４２１には前記ボス４０３ａが嵌合することにより、変位部材４２の被係止端４２ａは受入部材４０に係止される。
また、変位部材４２の前記自由端４２ｂ側には、例えば図７（Ａ）に示すように、遊技盤１５と垂直な方向に貫通され、かつ被係止端４２ａに向かって延び下方に凸となる弧状の円弧溝４６が設けられている。前記ピン４７は、この円弧溝４６に遊挿された状態で該自由端４２ｂを保持している。この円弧溝４６により、後述するように、受入部材４０がガイド孔３９を上方に移動するとき、ピン４７と被係止端４２ａとの相対距離を短くして、変位部材４２の変位を許容することができる。
【００１７】
一方、本普通入賞装置３１では、直動ソレノイド４４と変位部材４２との連結機構は、図４からも分かるように、受入部材４０（作動用桿４０１）とパワーアーム４３となる。そして、パワーアーム４３と直動ソレノイド４４の可動部材４４ａとがリンクされ、パワーアーム４３と作動用桿４０１とがリンクされている。
直動ソレノイド４４の可動部材４４ａとパワーアーム４３とのリンクおよびパワーアーム４３と作動用桿４０１とのリンクは、図４に示すように、一方を扁平端とし他方をクリップ状の端部とした機構である。図４では、可動部材４４ａの先端円盤部をクリップ状のパワーアーム４３の他端で厚み方向に挟持するとともに、パワーアーム４３の扁平状をなす扁平端４３ａは、作動用桿４０１のクリップ状の前記係合端４０１ａに挟持されている。また、パワーアーム４３は、図４に示すように、可動部材４４ａ側に寄って遊技盤１５または装飾ブラケット３８（ここでは遊技盤１５）に保持された支軸４３ｂをもち、パワーアーム４３は、該支軸４３ｂを中心に揺動可能にされている。このパワーアーム４３の揺動により以下に説明するように、受入部材４０をガイド孔３９に沿って移動させることができる。
【００１８】
（動作説明）
普通入賞装置３１は、直動ソレノイド４４に通電して図７（Ａ）および（Ｂ）に示すように、受入部材４０を装飾ブラケット３８のガイド孔３９に沿って移動させることにより、変位部材４２の面４１が、受入口３７に向けて下り勾配をなす状態と（図７（Ａ））、受入口３７の外域に向けて下り勾配をなす状態と（図７（Ｂ））に変位するものである。図７（Ａ）は、遊技球Ｐが受入口３７に入賞し易い状態であり、図７（Ｂ）は遊技球Ｐが受入口３７に入賞し難い状態である。
本実施形態では、図１で示したように、普通入賞装置３１は、釘による入賞口３７ａの直下に設けられるものである。したがって、例えば普通入賞装置３１が遊技球Ｐを受入口３７に入賞し難い閉状態（図７（Ｂ））のときに、入賞口３７ａを通過した遊技球が受入口３７に入って入賞したり、普通図柄表示器２７の抽選が当たりになったり、ゲート２４を遊技球Ｐが通過したりするなどの所定の遊技状態を契機に、所定の時間条件で、遊技球Ｐが受入口３７に入賞し易い開状態とすることができる。
【００１９】
先ず、図７（Ｂ）の閉状態においては、図８〜図１０に示すように、各部材が作動している。図８は図２に対応した斜視図であり、図９は図４に対応した斜視図であり、図１０は図３に対応した断面図である。閉状態においては、図９に示すように、直動ソレノイド４４が非通電状態であり、その可動部材４４ａは、直動ソレノイド４４の本体ケース４４ｂ側に吸引されている。これにより、パワーアーム４３は、支軸４３ｂを介して扁平端４３ａ側を上動させて、該扁平端４３ａに係合した作動用桿４０１の係合端４０１ａが上方に駆動されている。このため、受入部材４０は、図８および図９に示すように、ガイド孔３９の上端に位置される。
【００２０】
受入部材４０がガイド孔３９の上端に位置するときは、図７（Ｂ）に示すように、変位部材４２の被係止端４２ａは、突片４０３のボス４０３ａに保持されて自由端４２ｂより上方に位置する。また、ピン４７は、相対的に自由端４２ｂに最も近い円弧溝４６の端に位置している。つまり、面４１は受入口３７より外域に向かって下り勾配となっている。この状態の面４１では、遊技球Ｐは、大半が面４１に当たって弾かれ、受入口３７に入賞する度合は小さい（入賞し難い）。なお、図７（Ｂ）および図１０に示すように、閉状態において、隠し板部４０４は遊技者に対しガイド孔３９を隠しており、遊技球Ｐが遊技盤１５より飛び出ることはない。
【００２１】
次に上記所定の遊技状態が成立すると、それを契機に、直動ソレノイド４４が所定の時間条件で通電される。直動ソレノイド４４が通電されると、その可動部材４４ａは、図４に示すように、本体ケース４４ｂ側から突出する。これにより、パワーアーム４３は、支軸４３ｂを介して扁平端４３ａ側を下動させて、作動用桿４０１の係合端４０１ａを下方に駆動する。このため、受入部材４０には該受入部材４０をガイド孔３９に沿って下方に移動する駆動力が作用する。
前記受入部材４０が下方に移動すると、突片４０３のボス４０３ａに引っ張られて変位部材４２がピン４７を偏心軸として揺動形態の開閉運動を行う。
すなわち、受入部材４０がガイド孔３９の中間より上側を下動するときは、ピン４７と被係止端４２ａとの距離が相対的に徐々に近づき、中間位置で最も近くなる。このとき、ピン４７は被係止端４２ａに最も近い円弧溝４６の端に退避する。受入部材４０がガイド孔３９の中間より下側を下動するときは、ピン４７と被係止端４２ａとの距離が相対的に徐々に遠のき、ガイド孔３９の下端位置で最も遠くなる。このとき、ピン４７は自由端４２ｂに最も近い円弧溝４６の端に戻る（図７（Ａ））。こうして、変位部材４２は、揺動形態で開閉運動を行うことができる。
変位部材４２が図７（Ａ）に示す状態となると、変位部材４２の面４１は、受入口３７に向けて下り勾配となり、落下する遊技球Ｐを受入口３７に誘導する機能を果たす。換言すれば、受入口３７の間口を広げることとなって、入賞度合いは、数倍跳ね上がる。
【００２２】
このように本実施形態の普通入賞装置３１においては、受入部材４０の上下移動に連動して、遊技球Ｐを受入口３７に誘導する面４１が、受入口３７に遊技球Ｐを入賞し易くするときの勾配と、受入口３７に遊技球Ｐを入賞し難くするときの勾配を、正から負、負から正になる変化を呈するものであり、遊技者に遊技球Ｐが入賞し易い状態と遊技球が入賞し難い状態との差を視覚的に強く与え、遊技を面白くさせ遊技に集中させる効果を期待できるのである。
【００２３】
（組立て手順）
上記普通入賞装置３１は、以下のようにして遊技盤１５に組み付けることができる。すなわち、裏部材４５を装飾ブラケット３８に固着手段で固着する前に、変位部材４２を係止した状態の受入部材４０を装飾ブラケット３８のガイド孔３９に嵌合させる。そして、作動用桿４０１の先端を裏部材４５のスリット４５２に挿通させた後に裏部材４５を装飾ブラケット３８に固着する。この後、遊技盤１５に予め装着されている直動ソレノイド４４およびパワーアーム４３に対し作動用桿４０１の係合端４０１ａを組付ける。
また、普通入賞装置３１は、別部品として準備することもできる。この場合は以下の組み立て手順が考えられる。
（１）別部品として、装飾ブラケット３８、受入部材４０、変位部材４２、裏部材４５、直動ソレノイド４４およびパワーアーム４３からなる装置全体を部品化し、遊技盤１５の組み付けには、装飾ブラケット３８を遊技盤１５に取り付けるだけで遊技盤１５へ普通入賞装置３１を装着することができる。この場合、直動ソレノイド４４およびパワーアーム４３は、装飾ブラケット３８や裏部材４５に搭載することが部品点数の削減の観点より好ましい。
（２）裏部材４５と直動ソレノイド４４およびパワーアーム４３を、遊技盤１５に予め組み付けておき、装飾ブラケット３８、受入部材４０および変位部材４２だけを一体部品として準備するものでもよい。この場合は、遊技店での本普通入賞装置３１の補修作業や交換が容易となる。
【００２４】
［第１実施形態の効果］
上記構成の普通入賞装置３１では、上記変位部材４２の変位が大きく遊技に惹きつけるという効果のほかにも以下の効果がある。
（１）受入部材４０を移動するだけで変位部材４２の揺動形態の開閉動作ができるので、変位部材４２と直動ソレノイド４４との連結機構が簡潔な構成となる。すなわち、受入部材４０を直動ソレノイド４４によって移動駆動すればよい。受入部材４０の移動運動は、直動ソレノイド４４における可動部材４４ａの運動と１対１に対応しているので、直動ソレノイド４４と受入部材４０との連結機構（パワーアーム４３および作動用桿４０１）をパワーアーム４３と作動用桿４０１とのリンクだけで簡潔に構成することができ、従来の作動用ピン２（図１２）のような、パワーアーム４３の扁平端４３ａの上下動を開閉中心周りの円弧運動に変換する部材が介在しない。
（２）組み立て手順の項で説明したように、受入部材４０の移動をガイドするガイド孔３９を有するガイド板としての装飾ブラケット３８に受入部材４０と変位部材４２とを一体的に組み付けることができ、遊技盤への普通入賞装置３１の装着が容易になる。
（３）組み立て手順の項で説明したように、装飾ブラケット３８（ガイド板）に直動ソレノイド４４も組み付けることができ、直動ソレノイド４４、受入部材４０および変位部材４２を組み込んだ一体部品として入賞装置を構成でき、遊技盤への装着が一層容易になる。
（４）本実施形態では、受入部材４０が下動して下位置となるとき、開状態となるので、これと反対の場合より、落下する遊技球の入賞度合いが高くなる。このことは遊技者は直感的に理解し、遊技のおもしろさに惹かれ、遊技機人気を高める効果を期待できる。
【００２５】
［第２実施形態］
本普通入賞装置３１の構成を、大入賞装置３３に適用した実施形態を図１１（Ａ）、（Ｂ）に示す。図１１（Ａ）は閉状態の大入賞装置３３を示し、図１１（Ｂ）は開状態の大入賞装置３３を示す。
図１１（Ａ）、（Ｂ）の大入賞装置３３は、第１実施形態の装飾ブラケット３８に相当する装飾ガイド板３３１と、大入賞受入部材３３２と、該大入賞受入部材３３２に係合された一対の変位部材３３３、３３３と、大入賞受入部材３３２の受入口３３４を通常時に閉塞するための装飾傘部材３３５とを示す。上記以外の遊技盤１５の裏側に装置される直動ソレノイドなどは省略している。
本実施形態でも、大入賞受入部材３３２の上下移動に連動して変位部材３３３を揺動形態に開閉動作させる機構は、第１実施形態と同様であり、装飾ガイド板３３１に立設されるピン３３６が、変位部材３３３の自由端側に形成された弧状の円弧溝３３７に遊挿され、大入賞受入部材３３２の突片３３２ａにおけるボス（図示略）に変位部材３３３の被係止端側が係止されている。
大入賞装置３３では、閉状態において、受入口３３４が装飾傘部材３３５によって閉塞されており、このとき、変位部材３３３の面４１は、閉塞された受入口３３４の外域に向けて下り勾配となっている。開状態に変わると、大入賞受入部材３３２の下動に伴って受入口３３４から装飾傘部材３３５が相対的に離れ、受入口３３４の上面側が装飾傘部材３３５で干渉されても、変位部材３３３の面４１の上側には装飾傘部材３３５は干渉しない。これにより、面４１に落下した遊技球Ｐは次々と受入口３３４に入賞することになる。
このような大入賞装置３３では、比較的大型の大入賞受入部材３３２が上下に動き、それに連動して左右の変位部材３３３が揺動開閉することにより、遊技者は驚き、遊技に熱中することを期待できる。
【００２６】
［第３実施形態］
本実施形態としては、変位部材４２、３３３だけを第１実施形態と同様に揺動形態に開閉させて、面４１が受入口に向けて下り勾配と受入口から外域に向けて下り勾配となるように変化させても、同様に、遊技球を受入口に導く面４１が、受入口に遊技球Ｐを入賞し易くするときの勾配と、受入口に遊技球Ｐを入賞し難くするときの勾配とを、正から負、負から正になる変化を呈するものであり、遊技者に遊技球Ｐが入賞し易い状態と遊技球が入賞し難い状態との差を視覚的に強く与え、遊技を面白くさせ遊技に集中させる効果を期待できる。この場合の駆動手段は、自由端４２ｂを上下させるものでよいし、図１２に示す構成を採用してもよい。
また、第１実施形態では、受入部材４０に本発明による動作を行わせるために、受入部材４０に形成した円弧溝４６という遊び孔の手段を用いているが、この遊び孔に相当する別の構成としは、装飾ブラケット３８に形成してもよいし、必ずしも円弧でなく、例えば図７（Ａ）において、被係止端４２ａ側から直角部分Ｒ側に直線状に形成してもよい。
【００２７】
［第４実施形態］
第１実施形態の普通入賞装置３１および大入賞装置３３では、遊技機への装着性を考慮して装飾ブラケット３８や装飾ガイド板３３１なるブラケット類を用いているが、本発明の必須の構成要件は、受入部材４０と変位部材４２であるので、受入部材４０と変位部材４２を直接に遊技盤１５に装置してもよい。
また、受入部材４０の底から遊技盤１５側に延びる作動用桿４０１は、単純な棒体でもよい。この場合の作動用桿は、図６に示すボックス部４０２の一方の側部から遊技盤１５側へ延ばせばよい。なお、実施形態で説明した作動用桿４０１によれば、受入部材４０を片持ち上げするおそれがない。
【図面の簡単な説明】
【図１】  本発明の第１実施形態および第２実施形態の入賞装置を採用した遊技機の遊技盤上の構成を示す説明図である。
【図２】遊技盤の斜め右側から見た本発明に係る普通入賞装置３１を示す斜視図である。
【図３】上記普通入賞装置３１が遊技盤に装着された状態の図２のＡ−Ａ線で破断した断面図である。
【図４】駆動手段を含めた普通入賞装置３１を示す斜視図である。
【図５】上方からみた普通入賞装置３１を示す上面図である。
【図６】上記普通入賞装置３１の組み立て分解斜視図である。
【図７】（Ａ）は開状態の普通入賞装置３１を遊技者側から見た正面図、（Ｂ）は閉状態の普通入賞装置３１を遊技者側から見た正面図である。
【図８】本普通入賞装置３１が閉状態ときの図２に対応した斜視図である。
【図９】  本普通入賞装置３１が閉状態ときの図４に対応した斜視図である。
【図１０】本普通入賞装置３１が閉状態ときの図３のＡ−Ａ線で破断した断面図である。
【図１１】本発明を大入賞装置に適用した第２実施形態を示し、（Ａ）は閉状態斜視図、（Ｂ）は開状態の斜視図である。
【図１２】  従来の入賞装置の一例を示す斜視図である。
【符号の説明】
３７…受入口
４０…受入部材
４１…面
４２…変位部材
【図１】
0003745952.tif 000002
【図２】
0003745952.tif 000003
【図３】
0003745952.tif 000004
【図４】
0003745952.tif 000005
【図５】
0003745952.tif 000006
【図６】
0003745952.tif 000007
【図７】
0003745952.tif 000008
【図８】
0003745952.tif 000009
【図９】
0003745952.tif 000010
【図１０】
0003745952.tif 000011
【図１１】
0003745952.tif 000012
【図１２】
0003745952.tif 000013